(57)【要約】      （修正有）【課題】光路変調素子への着塵を低減する。【解決手段】プロジェクターは、入力された光を変調する光変調素子３１，３２，３３と、光変調素子３１，３２，３３により変調された光の光路を変更するプリズム３４と、プリズム３４を透過した光の光路を、入力される制御信号に応じて変調する光路変調素子３５と、光路変調素子３５から出力された光を投写面に投写する投写レンズ４１と、プリズム３４の一部および光路変調素子３５を収容し、光路方向の両端に開口５１，５２を有する第１筒体５０とを有し、第１筐体５０のプリズム３４側の開口５１においては、全周がプリズム３４に接触しており、第１筐体５０の投写レンズ側の開口５２においては、全周が、第１筒体５０に収容されている部材のうち最も投写レンズ４１側に位置する部材に接触している。【選択図】図４
2016200621.tif 000002
【特許請求の範囲】
【請求項１】
入力された光を変調する光変調素子と、
前記光変調素子により変調された光の光路を変更するプリズムと、
前記プリズムを透過した光の光路を、入力される制御信号に応じて変調する光路変調素子と、
前記光路変調素子から出力された光を投写面に投写する投写レンズと、
前記プリズムの一部および前記光路変調素子を収容し、前記光路の方向の両端に開口を有する第１筒体と
を有し、
前記第１筒体の前記プリズム側の開口においては、全周が前記プリズムに接触しており、
前記第１筒体の前記投写レンズ側の開口においては、全周が、当該第１筒体に収容されている部材のうち最も当該投写レンズ側に位置する部材に接触している
プロジェクター。
【請求項２】
前記光路変調素子と前記投写レンズとの間に透明板を有し、
前記第１筒体は、前記プリズム、前記光路変調素子、および前記透明板を収容し、
前記透明板の全周が前記第１筒体に接触している
ことを特徴とする請求項１に記載のプロジェクター。
【請求項３】
前記透明板の前記投写レンズ側の表面に、ハードコート、ＡＲコート、および防塵コートのうち少なくとも１つを有する
ことを特徴とする請求項２に記載のプロジェクター。
【請求項４】
前記プリズム、前記投写レンズ、および前記第１筒体を固定する支持体
を有する請求項１ないし３のいずれか一項に記載のプロジェクター。
【請求項５】
前記光路変調素子は、前記制御信号に応じて変位する素子を含む
ことを特徴とする請求項１ないし４のいずれか一項に記載のプロジェクター。
【請求項６】
前記光変調素子は、前記入力された光を反射する反射面を有し、
前記反射面の裏側から前記光変調素子を冷却する冷却部と、
前記光変調素子および前記プリズムを収容する第２筒体と
を有する請求項１ないし５のいずれか一項に記載のプロジェクター。
【請求項７】
前記光変調素子、前記プリズム、前記光路変調素子、および前記第１筒体を収容する筐体を有し、
前記投写レンズは、前記筐体に着脱可能である
ことを特徴とする請求項１ないし６のいずれか一項に記載のプロジェクター。
【発明の詳細な説明】
【技術分野】
【０００１】
本発明は、プリズムと投写レンズとの間に、制御信号に応じて光路を変調する光路変調素子を有するプロジェクターに関する。
【背景技術】
【０００２】
プロジェクターは、企業におけるプレゼンテーションや家庭における映画鑑賞等に広く用いられている。近年、映像の高解像度化に伴い、プロジェクターも高解像度化が進んでいる。しかし、プロジェクターにおいて液晶ライトバルブ等の光変調素子を高解像度化すると、製品のコストが増大してしまう場合がある。
【０００３】
特許文献１には、投写レンズと光変調素子との間に光路変調素子を設けることにより、擬似的に解像度を拡張する技術が記載されている。具体的には、特許文献１には、光変調素子に時分割で複数の画像を表示させ、それと同期して光路変調素子を制御して、スクリーンに投写される画素の位置をずらすことにより、擬似的に解像度を拡張する技術が記載されている。特許文献２には、光路変調素子を投写レンズユニット内に配置する技術が記載されている。
【先行技術文献】
【特許文献】
【０００４】
【特許文献１】特開平１１−２９８８２９号公報
【特許文献２】特開２００５−３２６５７２号公報
【発明の概要】
【発明が解決しようとする課題】
【０００５】
高解像度のプロジェクターは、画質および信頼性に対する要求も高い。しかし、光路変調素子に対する着塵は画質および信頼性に対して悪影響を与えることが懸念されるので、光路変調素子への着塵を低減することが求められている。特に、一部のプロジェクターにおいては投写レンズを取り外し可能なものがあり、このようなプロジェクターにおいて着塵の可能性は一層高まっている。しかし、特許文献１および２に記載された技術においては、光路変調素子への着塵に対処することができなかった。
【０００６】
これに対し本発明は、光路変調素子への着塵を低減する技術を提供する。
【課題を解決するための手段】
【０００７】
本発明は、入力された光を変調する光変調素子と、前記光変調素子により変調された光の光路を変更するプリズムと、前記プリズムを透過した光の光路を、入力される制御信号に応じて変調する光路変調素子と、前記光路変調素子から出力された光を投写面に投写する投写レンズと、前記プリズムの一部および前記光路変調素子を収容し、前記光路の方向の両端に開口を有する第１筒体とを有し、前記第１筒体の前記プリズム側の開口においては、全周が前記プリズムに接触しており、前記第１筒体の前記投写レンズ側の開口においては、全周が、当該第１筒体に収容されている部材のうち最も当該投写レンズ側に位置する部材に接触しているプロジェクターを提供する。
このプロジェクターによれば、光路変調素子への着塵を低減することができる。
【０００８】
このプロジェクターは、前記光路変調素子と前記投写レンズとの間に透明板を有し、前記第１筒体は、前記プリズム、前記光路変調素子、および前記透明板を収容し、前記透明板の全周が前記第１筒体に接触していてもよい。
このプロジェクターによれば、光路変調素子への入射面および出射面への着塵を低減することができる
【０００９】
このプロジェクターは、前記透明板の前記投写レンズ側の表面に、ハードコート、ＡＲコート、および防塵コートのうち少なくとも１つを有してもよい。
このプロジェクターによれば、メンテナンスを容易にすることができる。
【００１０】
このプロジェクターは、前記プリズム、前記投写レンズ、および前記第１筒体を固定する支持体を有してもよい。
このプロジェクターによれば、耐衝撃性を向上させることができる。
【００１１】
前記光路変調素子は、前記制御信号に応じて変位する素子を含んでもよい。
このプロジェクターによれば、物理的に変位する光路変調素子への着塵を低減することができる。
【００１２】
前記光変調素子は、前記入力された光を反射する反射面を有し、このプロジェクターは、前記反射面の裏側から前記光変調素子を冷却する冷却部と、前記光変調素子および前記プリズムを収容する第２筒体とを有してもよい。
このプロジェクターによれば、反射型の光変調素子を冷却しつつ、反射面への着塵を低減することができる。
【００１３】
このプロジェクターは、前記光変調素子、前記プリズム、前記光路変調素子、および前記第１筒体を収容する筐体を有し、前記投写レンズは、前記筐体に着脱可能であってもよい。
このプロジェクターによれば、投写レンズが着脱可能であっても、光路変調素子への着塵を低減することができる。
【図面の簡単な説明】
【００１４】
【図１】実施例１に係るプロジェクター１の光学系の構成を例示する図。
【図２】光路変調素子３５による光路変調の原理を示す図。
【図３】光路変調素子３５による別の光路変調の原理を示す図。
【図４】光路変調素子３５の防塵構造の一例を示す図。
【図５】光路変調素子３５の防塵構造の別の例を示す図。
【図６】実施例２に係るプロジェクター２の光学系および防塵構造を模式的に示す図。
【図７】実施例３に係るプロジェクター３の光学系および防塵構造を模式的に示す図。
【発明を実施するための形態】
【００１５】
１．実施例１
１−１．光学系の構成
図１は、実施例１に係るプロジェクター１の光学系の構成を例示する図である。プロジェクター１は、照明系１０、色分離系２０、表示系３０、および投写系４０を有する。照明系１０は、投写光となる光を照射する。色分離系２０は、照明系から照射された光を、複数の色成分に分離する。表示系３０は、映像信号に基づいた画像を形成するため光の強度を変調する。投写系４０は、変調された光を投写面に投写する。
【００１６】
照明系１０は、光源１１、リフレクター１２、レンズアレイ１３、レンズアレイ１４、偏光変換素子１５、重畳レンズ１６を有する。光源１１は、高圧水銀ランプ、ハロゲンランプ、もしくはメタルハライドランプなどのランプ、またはＬＥＤ（Light Emitting Diode）もしくはレーザーダイオードなどの固体光源、およびこれらの駆動回路を含む。リフレクター１２は、光源１１から放射された光を所定の方向に所定の角度で出力する。リフレクター１２は、光源１１の種類によって、不要となることがある。レンズアレイ１３およびレンズアレイ１４は、２枚で１対である。レンズアレイ１３およびレンズアレイ１４は、光源１１の方向から見ると小レンズがマトリクス状に配置された構造を有しており、光源１１から出力される光束を部分光束に分割する。部分光束への分割は、レンズアレイ１３およびレンズアレイ１４に限定されず、光束を角度範囲で分割するロッドレンズを用いたものであってもよい。偏光変換素子１５は、ランダム偏光を特定の直線偏光（Ｓ偏光波）に変換する。重畳レンズ１６は、各部分光束を集光して光変調素子（後述）の画像形成領域近傍に重畳させる。
【００１７】
照明系１０から出力される光は白色光である。色分離系２０は、白色光を複数の色成分、この例では、赤色光（以下「Ｒ光」という）、緑色光（以下「Ｇ光」という）、青色光（以下「Ｂ光」という）の３つの色成分に分離する。色分離系２０は、ダイクロイックミラー２１、ダイクロイックミラー２２、ミラー２３、ミラー２４、ミラー２５、およびミラー２６を有する。照明系１０から出力された光束は、ダイクロイックミラー２１に入射する。ダイクロイックミラー２１は、入射光のうちＲ光を反射し、Ｇ光およびＢ光を透過する。ダイクロイックミラー２１を透過したＧ光およびＢ光は、ダイクロイックミラー２２に入射する。ダイクロイックミラー２２は、入射光のうちＧ光を反射し、Ｂ光を透過する。ミラー２３〜２６は、Ｒ光、Ｇ光、およびＢ光の光路を変更する。なお、色分離系２０は、光束の減衰を防止するためのリレーレンズを有していてもよい。また、色分離系２０はダイクロイックミラーを用いるものに限定されず、時分割で色分離するカラーホイールが用いたものであってもよい。
【００１８】
表示系３０は、色成分毎に設けられた計３つの光変調素子（光変調素子３１、光変調素子３２、光変調素子３３）を有する。光変調素子３１〜３３は、映像信号に応じて各色成分の光の強度を画素毎に変調する装置であり、この例では透過型の表示素子、例えば、透過型の液晶ライトバルブを含む。色分離系２０により分離されたＲ光、Ｇ光、およびＢ光は、それぞれ、光変調素子３１、光変調素子３２、および光変調素子３３に入射される。
【００１９】
表示系３０は、さらにプリズム３４を有する。プリズム３４は、光変調素子３１、光変調素子３２、および光変調素子３３から出力されたＲ光、Ｇ光、およびＢ光を合成し、合成した光束を出力する。プリズム３４は、例えばクロスダイクロイックプリズムであり、６面体形状を有する。Ｒ光、Ｇ光、およびＢ光はそれぞれ第１面〜第３面に入射され、合成された光束が第４面から出力される。
【００２０】
ここで、説明の便宜のため、３次元直交座標系を以下のように定義する。プリズム３４においてＲ光、Ｇ光、およびＢ光が入射される面および合成光が出射される面（第１面〜第４面）の法線と平行な面をｘｙ平面とする。また、このｘｙ平面に対していわゆる右手系となるようにｚ軸を定義する。また、説明の便宜上、ｚ軸正方向を「上」、ｚ軸負方向を「下」という場合がある。
【００２１】
表示系３０は、さらに光路変調素子３５（偏向素子）を有する。光路変調素子３５は、制御装置（図示略）から入力される制御信号に従って、プリズム３４から出力された光束の光路を変調する。光路変調素子３５の詳細は後述する。
【００２２】
投写系４０は、レンズユニット４１を有する。レンズユニット４１は、表示系３０から出力される光束を拡大して投写面に投写するための複数のレンズを含む。投写面は、例えばスクリーンや壁面である。
【００２３】
図２は、光路変調素子３５による光路変調の原理を示す図である。ここでは、説明を単純化するため、光変調素子３１、光路変調素子３５、およびレンズユニット４１のみが図示されている。この例で、光路変調素子３５は、制御信号に応じて物理的に変位する平板プリズム３５１を含む。具体的には、光路変調素子３５は、制御信号に応じて第１状態（図２（Ａ））および第２状態（図２（Ｂ））のいずれかの状態をとる。第１状態において、平板プリズム３５１の入射面は、入射光の光軸に対して垂直である。第２状態において、平板プリズム３５１の入射面は、第１状態を基準として角度θ傾いている。光変調素子３１上の特定の画素に着目すると、この画素により変調された光束は、第２状態においては、第１状態と比較すると距離ｄずれてレンズユニット４１に入射する。距離ｄは、平板プリズム３５１を構成する材料の屈折率ｎおよび平板プリズム３５１の厚みｔによって決まる。例えば、距離ｄを光変調素子３１における画素の大きさに設計すれば１画素分のずれを、画素半分の大きさに設計すれば半画素分のずれを生じさせることができる。このずれは、スクリーンＳＣ上に投写される画像においても観察される。
【００２４】
光路変調素子３５における第１状態と第２状態との遷移タイミングを、映像の表示（すなわち光変調素子３１の各画素へのデータの書き込み）タイミングと同期させれば、光変調素子３１の物理的に１つの画素を使ってスクリーンＳＣ上に時分割で２つの画素を表示することができる。すなわち、解像度を擬似的に拡張することができる。図２では第１状態と第２状態の２状態を例として示したが、光路変調素子３５を３状態以上に遷移可能な構成とすることで、物理的に１つの画素を使ってスクリーンＳＣ上に時分割で３つ以上の画素を表示することができる。
【００２５】
図３は、光路変調素子３５による別の光路変調の原理を示す図である。この例で、光路変調素子３５は物理的な変位を伴うものではなく、複屈折素子を用いたものである。この例で、光路変調素子３５は、位相制御素子３５２および複屈折素子３５３を含む。位相制御素子３５２は、制御信号に応じて入射光の偏光状態を制御する素子、例えば液晶パネルである。複屈折素子３５３は、入射光の偏光状態に応じて異なる屈折率を示す素子、例えば、水晶、ニオブ酸リチウム、方解石、雲母、ルチル（ＴｉＯ2）、チリ硝石（ＮａＮＯ3）などの一軸性結晶である。図３（Ａ）は位相制御素子３５２が第１状態のときの光路を、図３（Ｂ）は第２状態のときの光路を、それぞれ示している。第１状態と第２状態との光路のずれすなわち画素のずれの距離ｄは、次式（１）で表されることが知られている。
【数１】
2016200621.tif 000003
ここで、ｎeおよびｎoはそれぞれ第１状態および第２状態における屈折率を、ｔは複屈折素子３５３の厚みを示す。
【００２６】
１−２．防塵構造の具体例１
図４は、光路変調素子３５の防塵構造の一例を示す図である。図４（Ａ）は光路変調素子３５のｘｙ平面に平行な断面を上から見た模式図を、図４（Ｂ）はこの防塵構造の側面図を示す。防塵構造は、鏡筒５０および支持体６０を有する。鏡筒５０は、少なくともプリズム３４の一部および光路変調素子３５を収容する筒体である。支持体６０は、プロジェクター１の筐体（図示略）に固定されており、プリズム３４等の光学素子を機械的に支持する。支持体６０は、機械的な要求特性を満たす材料、例えば、金属または樹脂により形成される。
【００２７】
鏡筒５０は、光路方向の両端に開口部（プリズム３４側の開口部５１およびレンズユニット４１側の開口部５２）を有する。この例で、鏡筒５０においては、ｘｚ平面に平行な断面における内周が四角形である。鏡筒５０の内部形状は、有効光線を遮らなければ、任意の形状を選択することができる。鏡筒５０は、後述するようにプリズム３４および光路変調素子３５を機械的に支持する機能を有していればよく、光学的に要求される特性はない。すなわち、鏡筒５０は、機械的な要求特性を満たす材料、例えば、金属、樹脂、またはガラスにより形成される。
【００２８】
開口部５１は、プリズム３４の出射面に対して固定されている。この例では、開口部５１の内周面が全周に渡ってプリズム３４に接触するように固定されている。開口部５１とプリズム３４とは、接着剤やシール剤により固定されていてもよいし、鏡筒５０の内周面にプリズム３４に合う凹部または凸部を形成し、その凹部または凸部にプリズム３４をはめ込むことにより固定されてもよい。また、開口部５１は、他の部材を介さず直接プリズム３４に固定（接着）されてもよいし、フレームを介して間接的にプリズム３４に固定（接着）されてもよい。
【００２９】
開口部５２側の内周面には、光路変調素子３５が固定されている。この例では、光路変調素子３５はまずフレーム３５４に固定され、フレーム３５４が開口部５２近傍の内周面に固定されている。フレーム３５４と鏡筒５０との固定方法はプリズム３４と開口部５１との固定方法と同様である。
【００３０】
プリズム３４および光路変調素子３５は、可視光吸収率が低いため冷却の必要性はない。しかし、特に図２の例のように光路変調素子３５が物理的に変位する場合には、プリズム３４と光路変調素子３５との間に空間を設ける必要がある。また、光路変調素子３５が図３の例のように物理的に変位しない構成であっても、制御信号の伝達等のためにプリズム３４と光路変調素子３５との間に空間が設けられる場合がある。このように、光路変調素子３５を用いると、光学系の面数が増えるので着塵による画質低下（照度低下またはむらの発生）のリスクが増大する。これに対し本実施形態によれば、プリズム３４と光路変調素子３５との間の光路は、鏡筒５０により密閉されている。したがって、鏡筒５０を有さない構成と比較すると、外部に開放されている光学面数が少なくなっており、画質低下のリスクは抑制される。なお、ここで「密閉」とは、開口部５１および開口部５２が塵の進入を防止できる程度に閉鎖されていることを意味し、必ずしも完全に気密である必要はない。
【００３１】
また、鏡筒５０と光路変調素子３５とが１つのユニットになっているため、故障が発生した場合でも交換が容易である。
【００３２】
プリズム３４は、他の光学素子と比較すると厚みがあり機械的強度も高く、鏡筒５０を固定する対象として好適である。また、この例で、プリズム３４は支持体６０に接着され固定されている。鏡筒５０もねじ止めや接着等により支持体に固定されており、これにより耐衝撃性を確保している。
【００３３】
また、この例で、プリズム３４は、光変調素子を支持する機能も有する。プリズム３４の第１面〜第３面には、フレーム３４１〜３４３がそれぞれ固定されており、フレーム３４１〜３４３には、光変調素子３１〜３３がそれぞれ固定されている。さらに、光路変調素子３５は、光路においてプリズム３４よりも後に配置されている。したがって、光路変調素子を光変調素子とプリズムとの間に配置する場合と比較して製造が容易である。また、プロジェクターに用いられる光路変調素子の数を最少にすることができる。
【００３４】
さらに、この例では、レンズユニット４１も支持体６０に例えばねじ止めされ固定されている。レンズユニット４１は、支持体６０に対し着脱可能（すなわち筐体から着脱可能）である。プロジェクター１においては、レンズユニット４１を外したときに外部に開放される面は、目視で確認できる面（光路変調素子３５の出射面）に限定されている。仮にこの面に塵が付いたとしても、レンズユニット４１を外して目視および掃除が可能であるのでメンテナンスが容易である。
【００３５】
１−３．防塵構造の具体例２
図５は、光路変調素子３５の防塵構造の別の例を示す図である。図４の構成と比較すると、透明板３６を有する点が異なっている。透明板３６は、光路変調素子３５の出射面への直接の着塵を防止するためのカバーとして機能する。したがって、光学的には画像を投写するための光束に対して透明であることが求められ、可視光の波長域において例えば９０％以上の透過率を有する材料、例えばガラス、結晶、樹脂などで形成される。この例で、開口部５２の近傍において、鏡筒５０の内周面は全周に渡って透明板３６と接触している。なお、この例では、プリズム３４および透明板３６により開口部５１および開口部５２が塞がれているので、鏡筒５０の内周面は必ずしも全周に渡って光路変調素子３５と接触していなくてもよい。
【００３６】
この例において、透明板３６の出射面に、ハードコート、ＡＲコート、および防塵コートのうち少なくとも１種が施されていてもよい。ハードコートとは、傷を防止するための硬質膜のコーティングをいう。ＡＲコートとは、入射光の反射を防止するための反射防止膜のコーティングをいう。防塵コートとは、着塵を防止する膜のコーティングをいう。ハードコートにより、掃除の際に傷がつくことを防止することができる。ＡＲコートにより、透過率を向上させ、投写される画像の明るさを向上させることができる。防塵コートにより、着塵量を低減し、メンテナンス頻度を低減することができる。
【００３７】
例えば図２の例のように、物理的に変位する素子を光路変調素子３５として用いた場合において、図４の例のように光路変調素子３５の出射面を直接掃除すると、掃除により光路変調素子３５自体が破壊されてしまう可能性がある。しかし、図５の例によれば、光路変調素子３５を直接掃除する必要がないため、掃除による故障の可能性を低減することができる。また、図３の光路変調素子３５を用いた場合であっても、ユーザーが光路変調素子３５に直接触れる可能性が低減するため、メンテナンスの際のトラブルを低減することができる。
【００３８】
なお、各光変調素子とプリズム３４との間を、それぞれ個別の鏡筒により密閉してもよい。これにより、光変調素子の出射面に対する着塵を抑制することができる。
【００３９】
２．実施例２
図６は、実施例２に係るプロジェクター２の光学系および防塵構造を模式的に示す図である。プロジェクター１において、光変調素子は透過型の表示素子であったのに対し、プロジェクター２は反射型の表示素子を用いている。
【００４０】
プロジェクター２は、光源１１、リフレクター１２、ミラー２１７、プリズム２３４、光変調素子２３１、光路変調素子３５、透明板３６、鏡筒５０、支持体６０、およびレンズユニット４１を有する。実施例１と共通する要素については共通の参照符号を用い、詳細な説明は省略する。
【００４１】
光変調素子２３５は、反射型の表示素子、例えば、反射型の液晶パネルまたはＤＭＤ（Digital Mirror Device）である。またこの例で、プロジェクター２は単一の光変調素子のみを有するため、光源１１からの光は色成分に分離されない。光変調素子２３１は、例えば画素毎にカラーフィルターを有し、１枚でカラー表示が可能である。また、光源１１とプリズム２３４の光路間に、例えば時分割色分離機能を有する回転ホイール（カラーホイール）を設けて光変調素子２３１と同期することで、１枚でカラー表示が可能である。プリズム２３４はＴＩＲプリズム（内部全反射プリズム）である。リフレクター１２から出力された光は、ミラー２１５およびプリズム２３４を経由して光変調素子２３１に入射される。光変調素子２３１は、画素毎に映像信号に応じた反射率で入射光を反射する。光変調素子２３１から出力された光は、プリズム２３４、光路変調素子３５、透明板３６、およびレンズユニット４１を介し、投写面に投写される。
【００４２】
この例で、鏡筒５０は、プリズム２３４に固定されている。すなわち、支持体６０は、プリズム２３４、鏡筒５０、およびレンズユニット４１を支持している。この例によっても、プリズム２３４と光路変調素子３５との間の光路を密閉することができる。
【００４３】
また、この例によれば、光変調素子２３１の背面側には光学素子が設けられていない。したがって、光変調素子２３１の背面側に光変調素子２３１を冷却するための冷却部（例えば、空冷装置、ヒートシンク、または冷媒循環装置）を配置することができる。さらに、光変調素子２３１の表面側とプリズム２３４との間に別の鏡筒を設けてこの間の光路を密閉することもできる。
【００４４】
３．実施例３
図７は、実施例３に係るプロジェクター３の光学系および防塵構造を模式的に示す図である。プロジェクター２においては単一の光変調素子が用いられたのに対し、プロジェクター３は複数の色成分に対応する複数の光変調素子が用いられる。
【００４５】
プロジェクター３は、光源１１、リフレクター１２、ミラー２１５、プリズム３３４、光変調素子３３１、光変調素子３３２、光変調素子３３３、光路変調素子３５、透明板３６、鏡筒５０、支持体６０、およびレンズユニット４１を有する。以下、実施例２との相違部分を中心に説明する。
【００４６】
プリズム３３４は、色分離合成プリズムであり、複数のプリズムで構成され、多面体構造を有する。プリズム３３４を構成する各プリズムは、接合や、機械支持によって、各プリズムの位置関係が固定されている。プリズム３３４は、第１面から入射された白色光を内部でＲ光、Ｇ光、およびＧ光に分離し、第２面〜第４面からそれぞれ出力する。第２面〜第４面には、光変調素子３３１〜３３３が設けられている。光変調素子３３１〜３３３は、それぞれ、Ｒ光、Ｇ光、およびＢ光を変調する素子である。映像信号に応じて変調されたＲ光、Ｇ光、およびＢ光は、プリズム３３４の内部で合成され、第５面から出射される。プリズム３３４の第５面には、鏡筒５０が固定されている。
【００４７】
この例で、鏡筒５０は、プリズム３３４に固定されている。すなわち、支持体６０は、プリズム３３４、鏡筒５０、およびレンズユニット４１を支持している。この例によっても、プリズム３３４と光路変調素子３５との間の光路を密閉することができる。各光変調素子とプリズム３３４との間をそれぞれ個別の鏡筒により密閉してもよい点は実施例２と共通である。
【符号の説明】
【００４８】
１…プロジェクター、１０…照明系、１１…光源、１２…リフレクター、１３…レンズアレイ、１４…レンズアレイ、１５…偏光変換素子、１６…重畳レンズ、２０…色分離系、２１…ダイクロイックミラー、２２…ダイクロイックミラー、２３…ミラー、２４…ミラー、２５…ミラー、２６…ミラー、３０…表示系、３１…光変調素子、３２…光変調素子、３３…光変調素子、３４…プリズム、３５…光路変調素子、４０…投写系
【図１】
2016200621.tif 000004
【図２】
2016200621.tif 000005
【図３】
2016200621.tif 000006
【図４】
2016200621.tif 000007
【図５】
2016200621.tif 000008
【図６】
2016200621.tif 000009
【図７】
2016200621.tif 000010